(57)【要約】    【課題】  構成が簡略であり、ＰＤＰの経年変化をきめ細かく補償することができるプラズマ表示装置及びその駆動方法を提供する。    【解決手段】  プラズマ表示装置１において、ＰＤＰ２の表示領域４の外部にダミーセル３を設ける。ダミーセル３は、その発光が表示画像に影響を与えないように遮光する。また、ダミーセル３の放電特性を検出する検出手段５を設け、検出手段５の検出結果に基づいてＰＤＰ２を駆動する駆動手段６を設ける。検出手段５はダミーセル３の放電電流を測定するものである。駆動手段６は、検出手段５の検出結果に基づいて、プライミングパルスを印加するサブフィールドの数を調整することにより、ＰＤＰ２の駆動条件を選択し、この選択された駆動条件により、外部から入力される映像信号に基づいてＰＤＰ２を駆動するものである。【選択図】  図２
2007086294.tif 000002
【特許請求の範囲】
【請求項１】
プラズマディスプレイパネルと、このプラズマディスプレイパネルに設けられその発光が表示画像に影響を与えないように遮光されているダミーセルと、このダミーセルの放電特性を検出する検出手段と、この検出手段の検出結果に基づいて前記プラズマディスプレイパネルを駆動する駆動手段と、を有することを特徴とするプラズマ表示装置。
【請求項２】
前記ダミーセルは、前記プラズマディスプレイパネルの表示領域の外部に配置されていることを特徴とする請求項１に記載のプラズマ表示装置。
【請求項３】
前記ダミーセルは、前記プラズマディスプレイパネルの表示領域の内部に配置されていることを特徴とする請求項１に記載のプラズマ表示装置。
【請求項４】
前記検出手段は、前記ダミーセルにおいて発生する放電電流を測定するものであることを特徴とする請求項１乃至３のいずれか１項に記載のプラズマ表示装置。
【請求項５】
前記検出手段は、前記ダミーセルの発光特性を検出するものであることを特徴とする請求項１乃至３のいずれか１項に記載のプラズマ表示装置。
【請求項６】
前記検出手段は、前記ダミーセルにおけるキセノンの赤外発光を検出するものであることを特徴とする請求項１乃至３のいずれか１項に記載のプラズマ表示装置。
【請求項７】
前記駆動手段は、１フィールドを複数のサブフィールドに分割し、少なくとも一部の前記サブフィールドにおいてセル内の電荷状態を初期化するプライミング放電を発生させるものであり、前記検出手段の検出結果に基づいて、前記プライミング放電を発生させる前記サブフィールドの数を調整するものであることを特徴とする請求項１乃至６のいずれか１項に記載のプラズマ表示装置。
【請求項８】
前記駆動手段は、１フィールドを複数のサブフィールドに分割し、少なくとも一部の前記サブフィールドにおいて走査電極にパルスを印加してセル内の電荷状態を初期化するプライミング放電を発生させるものであり、前記検出手段の検出結果に基づいて、前記パルスにおける電圧の変化速度を調整するものであることを特徴とする請求項１乃至６のいずれか１項に記載のプラズマ表示装置。
【請求項９】
前記駆動手段は、１フィールドを複数のサブフィールドに分割し、各前記サブフィールドに、発光させる予定のセルにパルスを印加する走査期間、及びこの走査期間において前記パルスが印加されたセルを発光させる維持期間を設けるものであり、前記検出手段の検出結果に基づいて、前記走査期間における前記パルスの時間幅を調整するものであることを特徴とする請求項１乃至６のいずれか１項に記載のプラズマ表示装置。
【請求項１０】
前記プラズマディスプレイパネルの累積使用時間を計測する計測手段を有し、前記駆動手段は、前記検出手段の検出結果及び前記計測手段の計測結果の双方に基づいて前記プラズマディスプレイパネルを駆動するものであることを特徴とする請求項１乃至９のいずれか１項に記載のプラズマ表示装置。
【請求項１１】
プラズマディスプレイパネルに設けられその発光が表示画像に影響を与えないように遮光されているダミーセルの放電特性を検出する工程と、この検出結果に基づいて前記プラズマディスプレイパネルを駆動する工程と、を有することを特徴とするプラズマ表示装置の駆動方法。
【発明の詳細な説明】
【技術分野】
【０００１】
本発明は、プラズマ表示装置及びその駆動方法に関する。
【背景技術】
【０００２】
近時、表示パネルとしてプラズマディスプレイパネル（Plasma Display Panel：以下、ＰＤＰともいう）を使用したプラズマ表示装置が開発されている。プラズマ表示装置は、高輝度、広視野角、大容量表示及び長寿命という利点を有しているため、パーソナルコンピュータ等のディスプレイ手段及び大画面テレビジョン受像機として、広く使用されている。
【０００３】
図１は、従来のプラズマ表示装置を示すブロック図である。図１に示すように、従来のプラズマ表示装置においては、画像を表示するＰＤＰ１０１が設けられており、このＰＤＰ１０１の他に、外部から入力された映像信号を受け取る映像信号入力部１０２、この映像信号入力部１０２から入力された映像信号に基づいて制御信号を生成する駆動制御部１０３、及びこの駆動制御部１０３から入力された制御信号に基づいてＰＤＰ１０１を駆動する駆動回路部１０４が設けられている。
【０００４】
ＰＤＰ１０１は、相互に平行に且つ離隔して配置された２枚の透明基板（図示せず）間に、放電ガスを封入して構成されている。放電ガスには例えば希ガスが使用され、例えばネオン（Ｎｅ）に微量のキセノン（Ｘｅ）を含有させた混合ガスが使用されている。そして、各透明基板における放電ガス側の表面には各種の電極が敷設されており、この電極を覆うように誘電体層が設けられている。
【０００５】
図１に示すプラズマ表示装置においては、外部から映像信号が映像信号入力部１０２に入力されると、映像信号入力部１０２がこの映像信号を駆動制御部１０３に対して出力し、駆動制御部１０３がこの映像信号に基づいて制御信号を生成して駆動回路部１０４に対して出力する。そして、駆動回路部１０４がこの制御信号に基づいてＰＤＰ１０１を駆動して画像を表示させる。
【０００６】
しかしながら、図１に示す従来のプラズマ表示装置には、以下に示すような問題点がある。プラズマ表示装置を長期間使用すると、ＰＤＰの放電特性が初期状態から変化してしまう。例えば、放電ガス中のキセノンが誘電体層中に取り込まれ、放電ガス中のキセノンの濃度が低下して、放電特性が変化してしまう。ところが、駆動制御部１０３が生成する制御信号は、初期状態、即ち工場出荷時のＰＤＰ１０１の放電特性に合わせて最適化されたものであり、駆動制御部１０３はこの初期状態に最適化された制御信号により、永続的にＰＤＰ１０１を制御するようになっている。このため、放電特性が経年変化すると、制御信号がＰＤＰ１０１の放電特性からずれてしまい、点灯すべきセルが点灯しなかったり、消灯すべきセルが点灯してしまったりして、ちらつき等の表示異常が発生する。
【０００７】
そこで、特許文献１には、放電特性の経年変化を補償する手段を備えたプラズマ表示装置が開示されている。特許文献１の図１には、多数の受光素子及び光拡散板からなる光センサーを設けたプラズマ表示装置が記載されている。この従来のプラズマ表示装置においては、光センサーの有効受光面は表示画面の全域に対応しており、光センサーは表示画面を構成する全てのドットについて発光の有無を検出し、この検出結果を表示制御部に対して出力するようになっている。そして、プラズマ表示装置の電源投入時に、ＰＤＰが全面点灯と全面消灯とを数回繰り返し、このときのＰＤＰの発光状態を光センサーが検出し、点灯異常が発生した場合には、点灯異常がなくなるように駆動条件を調整するようになっている。
【０００８】
また、特許文献１の図２には、光ファイバー及び発光スペクトル分析器を設けたプラズマ表示装置が記載されている。この従来のプラズマ表示装置においては、ＰＤＰの数ドット分の光が光ファイバーを介して発光スペクトル分析器に導かれるようになっており、発光スペクトル分析器が、入射した光についてキセノンの発光スペクトルの強度を測定するようになっている。これにより、放電ガス中のキセノンの濃度を測定し、この濃度が初期値と比較して減少した場合には、その減少の程度に応じて、ＰＤＰの駆動条件を調整するようになっている。
【０００９】
更に、特許文献１には、予め放電条件の経時変化を見込んでプラズマ表示装置の使用時間毎に駆動条件を設定しておき、ＰＤＰの使用時間が所定時間に達する度に、その時期に対応した駆動条件を選択する技術も開示されている。
【００１０】
【特許文献１】特開平５−１１９７３９号公報
【発明の開示】
【発明が解決しようとする課題】
【００１１】
しかしながら、上述の従来の技術には、以下に示すような問題点がある。特許文献１の図１に記載されたプラズマ表示装置においては、光センサーを構成するために多数の受光素子及び光拡散板を設ける必要があり、プラズマ表示装置の構成が複雑になるという問題点がある。
【００１２】
また、特許文献１の図２に記載されたプラズマ表示装置においては、光ファイバー及び発光スペクトル分析器を設ける必要があり、プラズマ表示装置の構成が複雑になるという問題点がある。
【００１３】
更に、特許文献１に記載された駆動条件を経時的に切り替えていくプラズマ表示装置においては、ＰＤＰの放電特性の変化は環境条件等の駆動条件によって大きく異なるため、使用時間のみに基づいて駆動条件を設定しても、きめ細かな制御が困難であるという問題点がある。
【００１４】
本発明が解決しようとする課題には、上述した問題が一例として挙げられる。
【課題を解決するための手段】
【００１５】
請求項１に記載の発明に係るプラズマ表示装置は、プラズマディスプレイパネルと、このプラズマディスプレイパネルに設けられその発光が表示画像に影響を与えないように遮光されているダミーセルと、このダミーセルの放電特性を検出する検出手段と、この検出手段の検出結果に基づいて前記プラズマディスプレイパネルを駆動する駆動手段と、を有することを特徴とする。
【００１６】
請求項１１に記載の発明に係るプラズマ表示装置の駆動方法は、プラズマディスプレイパネルに設けられその発光が表示画像に影響を与えないように遮光されているダミーセルの放電特性を検出する工程と、この検出結果に基づいて前記プラズマディスプレイパネルを駆動する工程と、を有することを特徴とする。
【発明を実施するための最良の形態】
【００１７】
以下、本発明の実施形態について添付の図面を参照して具体的に説明する。図２は、本実施形態に係るプラズマ表示装置を示すブロック図である。図２に示すように、本実施形態に係るプラズマ表示装置１においては、プラズマディスプレイパネル（ＰＤＰ）２が設けられており、このＰＤＰ２にはダミーセル３が設けられている。ダミーセル３はＰＤＰ２の非表示領域、即ち、表示領域４の外部に配置されている。また、ダミーセル３は、その発光が表示画像に影響を与えないように遮光されている。
【００１８】
また、プラズマ表示装置１においては、ダミーセル３の放電特性を検出する検出手段５が設けられている。更に、プラズマ表示装置１には、検出手段５の検出結果に基づいてＰＤＰ２を駆動する駆動手段６が設けられている。この駆動手段６は、検出手段５の検出結果に基づいてＰＤＰ２の駆動条件を選択し、この選択された駆動条件により、外部から入力される映像信号に基づいてＰＤＰ２を駆動するものである。
【００１９】
次に、上述の如く構成された本実施形態に係るプラズマ表示装置の動作、即ち、本実施形態に係るプラズマ表示装置の駆動方法について、図２を参照して説明する。駆動手段６は、外部から入力される映像信号に基づいてＰＤＰ２を駆動し、ＰＤＰ２の表示領域４に画像を表示する。このとき、駆動手段６は、ＰＤＰ２の表示領域４を構成する全セルの平均点灯時間と同じ時間だけ、ダミーセル３を発光させる。これにより、ダミーセル３の経年変化を、表示領域４を構成するセルの経年変化と略等しくすることができる。
【００２０】
そして、定期的にダミーセル３をテスト発光させる。このとき、ダミーセル３は遮光されているため、ダミーセル３の発光が、表示領域４が表示する画像に影響を与えることはない。そして、検出手段５が、ダミーセル３の放電特性を検出し、その検出結果を駆動手段６に対して出力する。駆動手段６は、検出手段５の検出結果に基づいてＰＤＰ２の駆動条件を選択し、この選択された駆動条件により、映像信号に基づいてＰＤＰ２を駆動する。即ち、ダミーセル３の放電特性が経年変化して、初期状態から一定程度以上異なった場合には、駆動手段６はＰＤＰ２の駆動条件を初期の駆動条件から変更する。また、ダミーセル３の放電特性が更に経年変化した場合には、ＰＤＰの駆動条件を更に変更する。
【００２１】
次に、本実施形態の効果について説明する。本実施形態においては、ＰＤＰ２にダミーセル３を設けているため、このダミーセル３の放電特性を検出する検出手段５を設置することが容易である。また、検出手段５はダミーセル３のみを対象として放電特性を検出しているため、検出手段５の構成を簡略化することができる。更に、ダミーセル３の放電特性を実際に検出し、その検出結果に基づいてＰＤＰ２の駆動条件を選択しているため、ＰＤＰ２の放電特性の経年変化が、プラズマ表示装置１が設置された環境等に依存しても、この経年変化をきめ細かく補償することができる。
【００２２】
更に、本実施形態においては、ダミーセル３が遮光されているため、その発光が表示画像に影響を与えることがない。更にまた、ダミーセル３がＰＤＰ２の非表示領域に配置されているため、表示領域４内に表示に貢献しないダミーセル３のためのスペースを設ける必要がない。
【実施例】
【００２３】
次に、本発明の実施例について添付の図面を参照して具体的に説明する。先ず、本発明の第１の実施例について説明する。図３は、本実施例に係るプラズマ表示装置を示すブロック図であり、図４は、図３に示すＰＤＰを示す斜視図であり、図５（ａ）及び（ｂ）は、横軸に時間をとり、縦軸に走査電極の電位をとって、走査電極に印加する駆動信号を示すタイミングチャートであり、（ａ）は初期状態の駆動信号を示し、（ｂ）は変更後の駆動信号を示す。
【００２４】
図３に示すように、本実施例に係るプラズマ表示装置１１においては、ＰＤＰ１２が設けられており、このＰＤＰ１２にはダミーセル１３が設けられている。ダミーセル１３はＰＤＰ１２の非表示領域、即ち、表示領域１４の外部に配置されている。また、ダミーセル１３は、その発光が表示画像に影響を与えないように遮光されている。
【００２５】
図４に示すように、ＰＤＰ１２においては、前面基板３１及び背面基板４１が相互に平行に設けられている。前面基板３１においては、例えばガラス等からなる透明基板３２が設けられており、透明基板３２における背面基板４１に対向する側の表面には、例えば画面の水平方向に延びるように、走査電極３３及び維持電極３４が交互に配設されている。走査電極３３は、例えばＩＴＯ（Indium tin oxide：インジウム錫酸化物）からなる透明電極３３ａに、金属からなるバス電極３３ｂが重ねられて構成されている。また、維持電極３４は、例えばＩＴＯからなる透明電極３４ａに、金属からなるバス電極３４ｂが重ねられて構成されている。そして、走査電極３３及び維持電極３４を覆うように、透明誘電体層３５が設けられており、この透明誘電体層３５上には例えばＭｇＯからなる保護膜３６が設けられている。
【００２６】
また、背面基板４１においては、例えばガラス等からなる透明基板４２が設けられており、透明基板４２における前面基板３１に対向する側の表面には、例えば画面の垂直方向に延びるように、データ電極４３が配設されており、このデータ電極４３を覆うように、白色誘電体層４４が設けられている。また、白色誘電体層４４上には、ストライプ状又は格子状の隔壁４５が設けられている。隔壁４５は、前面基板３１と背面基板４１との間隔を一定に保持するものであり、隔壁４５により区画された空間がセル４０となっている。更に、白色誘電体層４４の上面上及び隔壁４５の側面上には、蛍光体層４６が被着されている。そして、セル４０内には、放電ガスとして例えばネオンに微量のキセノンが混合された混合ガスが封入されている。
【００２７】
また、図３に示すように、プラズマ表示装置１１においては、ダミーセル１３の放電特性を検出する放電特性検出手段１５が設けられている。放電特性検出手段１５は、ダミーセル１３内を流れる放電電流を測定して、ダミーセル１３の放電特性を検出するものである。即ち、放電特性検出手段１５は、ダミーセル１３内に放電電流が流れていれば、ダミーセル１３内に放電が発生しており、従って点灯していると判断し、放電電流が流れていなければ、放電は発生しておらず、従って消灯していると判断する。また、放電電流の大きさにより、放電の程度を検出する。
【００２８】
更に、プラズマ表示装置１１においては、外部から映像信号が入力される映像信号入力部１７が設けられている。更にまた、プラズマ表示装置１１には、駆動制御部１８及び駆動回路部１９が設けられている。駆動制御部１８は、放電特性検出手段１５から検出結果が入力され、この検出結果に基づいてＰＤＰ１２の駆動条件を選択し、この選択された駆動条件により、映像信号入力部１７から入力された映像信号に基づいて制御信号を生成し、駆動回路部１９に対して出力するものである。駆動回路部１９は、駆動制御部１８から入力された制御信号に基づいてＰＤＰ１２を駆動するものである。駆動制御部１８及び駆動回路部１９により、駆動手段２０が構成されている。
【００２９】
より具体的には、駆動制御部１８は、定期的にダミーセル１３に対してテストを行う。例えば、ダミーセル１３に対して、所定の点灯及び消灯を繰り返させる。そして、放電特性検出手段１５がダミーセル１３内に流れる放電電流の大きさを測定し、ダミーセル１３が点灯しているか消灯しているか、また点灯している場合にはどの程度の放電が発生しているかを検出する。そして、この検出結果に基づいて、駆動制御部１８がＰＤＰ１２の駆動条件を選択する。
【００３０】
図５（ａ）及び（ｂ）に示すように、駆動制御部１８は、１画面分の画像を表示する１フィールドをｎ個（ｎは２以上の整数）のサブフィールドＳＦ１、ＳＦ２、・・・、ＳＦｎに分割し、各サブフィールドに、プライミング期間Ｔｐ、走査期間Ｔｓ及び維持期間Ｔｍを設け、ｎ個のサブフィールドのうち任意のサブフィールドのプライミング期間Ｔｐにおいて、走査電極３３（図４参照）にプライミングパルスＰｐを印加する。これにより、全てのセルにおいて、セル内の電荷状態を初期化するプライミングパルスが発生する。そして、駆動制御部１８は、放電特性検出手段１５の検出結果に基づいて、プライミングパルスＰｐを印加するサブフィールドの数を選択するものである。
【００３１】
次に、上述の如く構成された本実施例に係るプラズマ表示装置の動作、即ち、本実施例に係るプラズマ表示装置の駆動方法について説明する。プラズマ表示装置１１が画像を表示するときに、駆動制御部１８は、図５（ａ）に示すような駆動信号をＰＤＰ１２の走査電極３３に対して印加する。即ち、１フィールドをｎ個のサブフィールドＳＦ１、ＳＦ２、・・・、ＳＦｎに分割し、各サブフィールドに、プライミング期間Ｔｐ、走査期間Ｔｓ及び維持期間Ｔｍを設ける。走査期間Ｔｓは、同じサブフィールドに属する維持期間Ｔｍにおいて発光させる予定のセルに書込パルスＰｗを印加する期間である。また、維持期間Ｔｍは、この走査期間Ｔｓにおいて書込パルスＰｗが印加されたセルを発光させる期間である。
【００３２】
そして、初期状態、即ち、工場出荷時の状態においては、図５（ａ）に示すように、１フィールドを構成するｎ個のサブフィールドのうち、サブフィールドＳＦ１及びＳＦｎのみにおいてプライミングパルスＰｐを印加し、他のサブフィールドＳＦ２乃至ＳＦ（ｎ−１）においては、プライミングパルスＰｐを印加しない。例えば、図５（ａ）に示す部分Ａ、即ち、サブフィールドＳＦ２のプライミング期間Ｔｐにおいては、プライミングパルスＰｐを印加しない。この結果、サブフィールドＳＦ１及びＳＦｎのみにおいてプライミング放電が発生し、セル内の電荷状態が初期化されることになるが、初期状態においては、これでも十分に良好な表示を行うことができる。
【００３３】
その後、プラズマ表示装置１１の使用に伴い、放電ガス中のキセノンが透明誘電体層３５及び白色誘電体層４４等に取り込まれてゆき、放電ガス中におけるキセノンの濃度が低下していく。この結果、セル内で放電を発生させるための条件が次第に変化し、放電特性が経年変化する。
【００３４】
一方、駆動制御部１８は、ＰＤＰ１２に画像を表示しているときに、ダミーセル１３も所定の時間だけ発光させておき、ダミーセル１３の経年変化の程度を、ＰＤＰ１２を構成する他のセルの経年変化の程度と同程度にしておく。例えば、駆動制御部１８は、ダミーセル１３を、ＰＤＰ１２を構成するセルの平均点灯時間に等しい時間だけ点灯させるか、又は、予め定められた点灯率を満たすように点灯させる。なお、ダミーセル１３は遮光されているため、ダミーセル１３の発光がＰＤＰ１２の表示画像に影響を及ぼすことはない。
【００３５】
そして、駆動制御部１８は、ダミーセル１３を定期的にテスト発光させる。このとき、放電特性検出手段１５が、ダミーセル１３における放電電流を測定し、ダミーセル１３が点灯しているか、消灯しているか、また点灯している場合にはどの程度の放電が発生しているかを検知して、ダミーセル１３の放電特性を検出し、駆動制御部１８に対して出力する。駆動制御部１８は、この検出結果に基づいてＰＤＰ１２の駆動条件を選択する。そして、ダミーセル１３の放電特性が初期状態から一定程度以上変化している場合は、ＰＤＰ１２の駆動条件を変更する。例えば、図５（ｂ）に示すように、プライミングパルスＰｐを印加するサブフィールドの数を変更し、例えば、全てのサブフィールドにおいてプライミングパルスＰｐを印加するようにする。これにより、図５（ｂ）に示す部分Ａにおいても、プライミングパルスＰｐが印加される。
【００３６】
このように、駆動制御部１８は、ＰＤＰ１２の経年変化の程度に応じてプライミング放電を発生させるサブフィールドの数を調整する。これにより、例えば放電ガス中のキセノン濃度が低下する等の経年劣化が発生しても、全てのサブフィールドでプライミング放電を発生させることにより、セル内の電荷状態の初期化を確実に行うことができる。この結果、ＰＤＰ１２の各セルを正常に点灯させることができる。即ち、ＰＤＰ１２の経年変化に合わせてＰＤＰ１２の駆動条件を最適化し、プラズマ表示装置１１に永続的に良好な表示を行わせることができる。
【００３７】
次に、本実施例の効果について説明する。図６（ａ）及び（ｂ）は、横軸にＰＤＰの累積使用時間をとり、縦軸に表示特性をとって、本実施例の効果を示すグラフ図であり、（ａ）は駆動制御部が駆動条件の変更を行わなかった場合であり、（ｂ）は駆動制御部が駆動条件の変更を行った場合である。図６（ａ）及び（ｂ）に示すように、累積使用時間が０のとき、即ち、初期状態においては、ＰＤＰが実現可能な表示特性範囲５１内に、要求される表示特性範囲５２が位置しているため、常に要求される表示特性範囲５２内の条件を実現することができる。
【００３８】
しかしながら、駆動制御部が駆動条件の変更を行わないと、図６（ａ）に示すように、例えば放電ガスの組成の変化により、実現可能な表示特性範囲５１が次第にずれてきてしまい、要求される表示特性範囲５２において、実現不可能な条件が生じてしまう。この結果、書込ミス及び誤点灯等の表示異常が発生し、表示品質が低下する。これにより、表示上の寿命が尽きてしまう。
【００３９】
これに対して、本実施例のように、放電特性検出手段１５を設けることにより、ＰＤＰ１２の経年変化が所定の程度に達したときに、駆動制御部１８が駆動条件の変更を行えば、図６（ｂ）に示すように、この時点におけるＰＤＰの放電特性に合わせて駆動条件を最適化することができ、その後しばらくの間、実現可能な表示特性範囲５１が、要求される表示特性範囲５２をカバーする位置に位置する。この結果、プラズマ表示装置の表示上の寿命を長期化することができる。
【００４０】
また、本実施例においては、ＰＤＰ１２にダミーセル１３を設けているため、このダミーセル１３の放電特性を検出する放電特性検出手段１５を容易に設置することができる。また、放電特性検出手段１５はダミーセル１３のみを対象として放電特性を検出しているため、放電特性検出手段１５の構成を簡略化することができる。更に、ダミーセル１３の放電特性を実際に検出し、その検出結果に基づいてＰＤＰ１２の駆動条件を選択しているため、プラズマ表示装置１１が設置された環境等に依存してＰＤＰ１２の放電特性の経年変化がばらついても、この経年変化をきめ細かく補償することができる。
【００４１】
更に、本実施例においては、ダミーセル１３が遮光されているため、その発光が表示画像に影響を与えることがない。更にまた、ダミーセル１３がＰＤＰ１２の非表示領域に配置されているため、表示領域１４内に表示に貢献しないダミーセル１３のためのスペースを設ける必要がない。この結果、表示領域１４を高精細化することができる。
【００４２】
次に、本発明の第２の実施例について説明する。図７（ａ）及び（ｂ）は、横軸に時間をとり、縦軸に走査電極の電位をとって、本実施例において走査電極に印加する駆動信号を示すタイミングチャートであり、（ａ）は初期状態の駆動信号を示し、（ｂ）は変更後の駆動信号を示す。本実施例は、前述の第１の実施例と比較して、駆動制御部１８（図３参照）が放電特性検出手段１５（図３参照）の検出結果に基づいて、プライミングパルスＰｐにおける電圧の変化速度、即ち、パルスの傾きを調整するものであることが異なっている。
【００４３】
即ち、図７（ａ）に示すように、初期状態においては、駆動制御部１８は走査電極に対して、立ち上がりが急峻なプライミングパルスＰｐを印加する。また、放電特性が初期状態から一定程度以上変化したときには、図７（ｂ）に示すように、駆動制御部１８は走査電極に対して、立ち上がりが緩やかなプライミングパルスＰｐを印加する。これにより、例えば放電ガス中のキセノン濃度が低下する等の経年劣化が発生しても、プライミングパルスＰｐの立ち上がりを緩やかにすることにより、セル内の電荷状態の初期化を確実に行うことができる。この結果、ＰＤＰ１２の各セルを正常に点灯させることができる。本実施例における上記以外の構成、動作及び効果は、前述の第１の実施例と同様である。
【００４４】
次に、本発明の第３の実施例について説明する。図８（ａ）乃至（ｃ）は、横軸に時間をとり、縦軸に走査電極の電位をとって、本実施例において走査電極に印加する駆動信号を示すタイミングチャートであり、（ａ）はサブフィールド全体の駆動信号を示し、（ｂ）は初期状態における走査期間の駆動信号を示し、（ｃ）は変更後における走査期間の駆動信号を示す。なお、図８（ｂ）及び（ｃ）は、図８（ａ）に示す部分Ｂを拡大して示すものである。図８（ａ）乃至（ｃ）に示すように、本実施例は、前述の第１の実施例と比較して、駆動制御部１８（図３参照）が放電特性検出手段１５（図３参照）の検出結果に基づいて、各サブフィールドの走査期間Ｔｓにおける書込パルスＰｗの時間幅を調整することが異なっている。
【００４５】
即ち、図８（ｂ）に示すように、初期状態においては、駆動制御部１８は走査電極に対して、時間幅がｔ１である書込パルスＰｗを印加する。また、放電特性が初期状態から一定程度以上変化したときには、図８（ｃ）に示すように、駆動制御部１８は走査電極に対して、時間幅がｔ２である書込パルスＰｗを印加する。図８（ｂ）及び（ｃ）に示すように、時間幅ｔ２は時間幅ｔ１よりも長い。これにより、例えば放電ガス中のキセノン濃度が低下する等の経年劣化が発生しても、書込パルスＰｗの時間幅を長くすることにより、書込放電を確実に発生させて、データの書込を確実に行うことができる。この結果、ＰＤＰ１２の各セルを正常に点灯させることができる。本実施例における上記以外の構成、動作及び効果は、前述の第１の実施例と同様である。
【００４６】
次に、本発明の第４の実施例について説明する。図９は、本実施例に係るプラズマ表示装置を示すブロック図である。図９に示すように、本実施例に係るプラズマ表示装置２１は、前述の第１の実施例と比較して、ＰＤＰ１２の累積使用時間を計測し、その結果を駆動制御部１８に対して出力する使用時間計測手段１６が設けられており、駆動制御部１８が、放電特性検出手段１５の検出結果及び使用時間計測手段１６の計測結果の双方に基づいて、ＰＤＰ１２の駆動条件を選択することが異なっている。
【００４７】
より具体的には、駆動制御部１８は、使用時間計測手段１６から入力された計測結果を、放電特性検出手段１５から入力された検出結果に基づいて補正し、この補正された計測時間に基づいて、ＰＤＰ１２の駆動条件を変更する。即ち、図５（ａ）に示すように、初期状態においては、駆動制御部１８は、ｎ個のサブフィールドのうち一部のサブフィールド、例えばサブフィールドＳＦ１及びＳＦｎのみにおいて、プライミング期間Ｔｐにおいて、走査電極３３（図４参照）にプライミングパルスＰｐを印加する。
【００４８】
そして、放電特性検出手段１５の検出結果及び使用時間計測手段１６の計測結果に基づいて、駆動制御部１８が、ＰＤＰ１２の経年変化が所定の程度に達したと判断したときは、図５（ｂ）に示すように、例えば全てのサブフィールドＳＦ１乃至ＳＦｎにおいて走査電極にプライミングパルスＰｐを印加し、プライミング放電を発生させる。本実施例における上記以外の構成、動作及び効果は、前述の第１の実施例と同様である。
【００４９】
なお、本実施例においては、前述の第１の実施例と同様に、駆動制御部１８が、プライミングパルスＰｐを印加するサブフィールドの数を選択する例を示したが、本発明はこれに限定されず、前述の第２の実施例と同様に、駆動制御部１８はプライミングパルスＰｐにおける電圧の変化速度を調整してもよく、前述の第３の実施例と同様に、駆動制御部１８は書込パルスＰｗの時間幅を調整してもよい。
【００５０】
次に、本発明の第５の実施例について説明する。本実施例は、前述の第１の実施例と比較して、放電特性検出手段１５がダミーセル１３（図３参照）の発光特性を検出することにより、ダミーセル１３の放電特性を検出する点が異なっている。即ち、放電特性検出手段１５には光センサー（図示せず）が設けられており、この光センサーにより、ダミーセル１３の発光特性を検出する。なお、この場合においても、前述の特許文献１の図１に示されているプラズマ表示装置のように、全てのセルをカバーするような光センサーを設ける必要はないため、プラズマ表示装置の構成は簡略である。本実施例における上記以外の構成、動作及び効果は、前述の第１の実施例と同様である。
【００５１】
次に、本発明の第６の実施例について説明する。本実施例は、前述の第１の実施例と比較して、放電特性検出手段１５がダミーセル１３（図３参照）におけるキセノンの赤外発光を検出することにより、ダミーセル１３の放電特性を検出する点が異なっている。即ち、放電特性検出手段１５には赤外光センサー（図示せず）が設けられており、この赤外光センサーにより、ダミーセル１３におけるキセノンの赤外発光強度を測定し、この測定結果に基づいて放電ガス中のキセノンの濃度を測定する。この結果、放電ガス中のキセノン濃度が一定値以下になった場合には、前述の第１の実施例と同様に、ＰＤＰ１２の駆動条件を変更する。本実施例における上記以外の構成、動作及び効果は、前述の第１の実施例と同様である。
【００５２】
なお、上述の各実施例においては、ダミーセル１３がＰＤＰ１２の非表示領域、即ち、表示領域１４の外部に設けられている例を示したが、本発明はこれに限定されず、ダミーセル１３はＰＤＰ１２の表示領域１４の内部に設けられていてもよい。これにより、ダミーセル１３の環境条件をＰＤＰ１２の表示領域１４を構成する各セルの環境条件と等しくすることができる。なお、ダミーセル１３を表示領域１４内に設ける場合においても、ダミーセル１３は表示画像に影響を与えないように遮光されていることが必要である。
【００５３】
本実施例によれば、ＰＤＰ１２に遮光されたダミーセル１３を設けているため、このダミーセル１３の放電特性を検出する放電特性検出手段１５を容易に設置することができる。また、放電特性検出手段１５はダミーセル１３のみを対象として放電特性を検出しているため、放電特性検出手段１５の構成を簡略化することができる。更に、ダミーセル１３の放電特性を実際に検出し、その検出結果に基づいてＰＤＰ１２の駆動条件を選択しているため、ＰＤＰ１２の放電特性の経年変化が、プラズマ表示装置１１が設置された環境等に依存しても、この経年変化をきめ細かく補償することができる。更にまた、遮光されたダミーセル１３を使用して放電特性を検出しているため、この検出が表示画像に影響を及ぼすことがない。
【図面の簡単な説明】
【００５４】
【図１】従来のプラズマ表示装置を示すブロック図である。
【図２】本発明の実施形態に係るプラズマ表示装置を示すブロック図である。
【図３】本発明の第１の実施例に係るプラズマ表示装置を示すブロック図である。
【図４】図３に示すＰＤＰを示す斜視図である。
【図５】（ａ）及び（ｂ）は、横軸に時間をとり、縦軸に走査電極の電位をとって、第１の実施例において走査電極に印加する駆動信号を示すタイミングチャートであり、（ａ）は初期状態の駆動信号を示し、（ｂ）は変更後の駆動信号を示す。
【図６】（ａ）及び（ｂ）は、横軸にＰＤＰの累積使用時間をとり、縦軸に表示特性をとって、本実施例の効果を示すグラフ図であり、（ａ）は駆動制御部が駆動条件の変更を行わなかった場合であり、（ｂ）は駆動制御部が駆動条件の変更を行った場合である。
【図７】（ａ）及び（ｂ）は、横軸に時間をとり、縦軸に走査電極の電位をとって、第２の実施例において走査電極に印加する駆動信号を示すタイミングチャートであり、（ａ）は初期状態の駆動信号を示し、（ｂ）は変更後の駆動信号を示す。
【図８】（ａ）乃至（ｃ）は、横軸に時間をとり、縦軸に走査電極の電位をとって、第３の実施例において走査電極に印加する駆動信号を示すタイミングチャートであり、（ａ）はサブフィールド全体の駆動信号を示し、（ｂ）は初期状態における走査期間の駆動信号を示し、（ｃ）は変更後における走査期間の駆動信号を示す。
【図９】本発明の第４の実施例に係るプラズマ表示装置を示すブロック図である。
【符号の説明】
【００５５】
１；プラズマ表示装置
２；ＰＤＰ
３；ダミーセル
４；表示領域
５；検出手段
６；駆動手段
１１；プラズマ表示装置
１２；ＰＤＰ
１３；ダミーセル
１４；表示領域
１５；放電特性検出手段
１７；映像信号入力部
１８；駆動制御部
１９；駆動回路部
２０；駆動手段
３３；走査電極
３５；透明誘電体層
４４；白色誘電体層
１０１；ＰＤＰ
１０２；映像信号入力部
１０３；駆動制御部
１０４；駆動回路部
Ｐｐ；プライミングパルス
Ｐｗ；書込パルス
Ｔｐ；プライミング期間
Ｔｓ；走査期間
Ｔｍ；維持期間
【図１】
2007086294.tif 000003
【図２】
2007086294.tif 000004
【図３】
2007086294.tif 000005
【図４】
2007086294.tif 000006
【図５】
2007086294.tif 000007
【図６】
2007086294.tif 000008
【図７】
2007086294.tif 000009
【図８】
2007086294.tif 000010
【図９】
2007086294.tif 000011